(57)【特許請求の範囲】
【請求項１】
入力した映像信号から抽出した水平同期パルスのｎ倍（但しｎ≧２）の発振周波数のクロックを生成する発振手段と、
前記映像信号から抽出した垂直同期パルス又は該垂直同期パルスのｍ倍（但し、ｍ≧２）周期に対応して出力されるリセットパルスによってリセットされるとともに前記クロックに基づきカウント値を出力する分周手段と、
前記分周手段から出力されるカウント値に基づき、前記垂直同期パルスと同周期の第一のカウントパルス、及び前記垂直同期パルスのｍ倍の第二のカウントパルスと、前記リセットパルスを出力するタイミング発生手段と、
前記第一、第二のカウントパルスのタイミングで前記垂直同期パルスの有無を判定する判定手段と、
を備えていることを特徴とする同期判定回路。
【請求項２】
前記第一のカウントパルスの出力タイミングより早いタイミングで、前記タイミング発生手段から出力される第三のカウントパルスによって、前記判定出手段の判定結果を保持する判定保持手段を設けたことを特徴とする請求項１に記載の同期判定回路。
【請求項３】
入力された映像信号の垂直同期パルスから、前記映像信号が正規のテレビジョン方式とされている標準信号であるか、又は非標準信号であるかを判定する同期判定回路を備えたテレビジョン受像機において、
前記同期判定回路は、
入力した映像信号から抽出した水平同期パルスのｎ倍（但しｎ≧２）の発振周波数のクロックを生成する発振手段と、
前記映像信号から抽出した垂直同期パルス又は該垂直同期パルスのｍ倍（但し、ｍ≧２）周期に対応して出力されるリセットパルスによってリセットされるとともに前記クロックに基づきカウント値を出力する分周手段と、
前記分周手段から出力されるカウント値に基づき、前記垂直同期パルスと同周期の第一のカウントパルス、及び前記垂直同期パルスのｍ倍の第二のカウントパルスと、前記リセットパルスを出力するタイミング発生手段と、
前記第一、第二のカウントパルスのタイミングで前記垂直同期パルスの有無を判定する判定手段と、
を備えていることを特徴とするテレビジョン受像機。
【請求項４】
前記第一のカウントクパルスの出力タイミングより早いタイミングで前記タイミング発生手段から出力される第三のカウントパルスによって、前記判定手段の判定結果を保持する判定保持手段を設けたことを特徴とする請求項３に記載のテレビジョン受像機。
【発明の詳細な説明】
【０００１】
【発明の属する技術分野】
本発明は、入力した映像信号が正規のテレビジョン方式で形成されている標準信号であるか、又は非標準信号であるかを判定する同期判定回路及び同期判定回路を備えたテレビジョン受像機に関する。
【０００２】
【従来の技術】
現今の例えばテレビジョン受像機は、放送局から送信される放送電波を受信して、チューナで放送番組を選択して視聴することができるとともに、例えばビデオデッキ等の外部入力機器等で再生される映画等を鑑賞することができるようになっている。
また、最近では外部入力機器としてゲーム機器を接続して、専用のゲームソフトの映像を画面に映し出して遊ぶことができるようになっている。
【０００３】
チューナで選択された放送番組やビデオデッキ等から通常再生された映画等のソフトを見る場合、これらの映像信号は例えばＮＴＳＣ（National Television System Comittee ・・・水平同期周波数１５．７３４ＫＨz 、水平走査線数２６２．５本）方式やＰＡＬ（Phase Alternation by Line ）方式等の標準信号として入力される。
また、ビデオデッキ等による特殊再生時（早送り／巻戻しサーチ、静止画再生等）では映像信号の垂直同期信号と水平同期信号は機種によって異なる周期関係とされ、標準信号とは異なる非標準信号として入力される。さらに、前記ゲーム機器から出力される映像信号も各種ゲーム機器自体が生成した非標準信号（例えば水平走査線数２６２本、２６３本等）として入力される。
【０００４】
ところで、受信信号として入力される標準信号の場合、例えば放送電波に何らかの形でノイズが重畳されたり、また弱電界の地域では垂直同期信号が一時的に欠落して同期性能が低下してしまう場合がある。そこで、標準信号の場合垂直同期信号の欠落を検出した場合、その前後の垂直同期信号から予測を立てて補間処理を行うことが考えられている。これによって垂直同期が安定したものになり、良好な映像を得ることができる。
一方、例えばゲーム機器から供給される映像信号は非標準信号ではあるが、同期信号は欠落せず所定の周期（例えば水平走査線数２６２本、２６３本等）で供給される。したがって、入力されていた映像信号に対して、この場合補間処理を行う必要はない。そこで、２６２．５本周期で垂直同期信号が無い場合に、標準信号における欠落か又は垂直同期周期が異なる非標準信号であるかを判定することが必要とされる。
【０００５】
図４は従来例として、例えばＮＴＳＣ方式のテレビジョン受像機に適用されている偏向制御部における同期判定回路の構成例を示す図である。
図示されていない映像信号処理系で抽出された水平同期信号ＨSync（ＮＴＳＣ方式の場合約１５．７３４ｋＨz ）は、例えばＰＬＬ等によって構成されている発振器２０に供給される。発振器２０は水平同期信号ＨSyncを基準クロックとして発振するように構成され、例えば水平同期信号ＨSyncに対してｎ倍（但しｎは自然数）周波数のクロックCLK を生成する。なおここでは一例としてｎ＝２として水平同期信号ＨSyncの２倍の周波数のクロックCLK が生成されることとする。したがってクロックCLK は３１．４６８ｋＨz の周波数で出力されることになる。
【０００６】
クロックCLK は例えばフリップフロップ２１ａ、２１ｂ・・・、２１ｊによって１０ビットカウンタとして構成される分周器２１にカウント用のクロックとして供給される。そして分周器２１から出力されるカウント出力（各フリップフロップ２１ａ〜２１ｊの出力端子Ｑの出力）はタイミング発生部２２に出力される。タイミング発生部２２はカウント出力に応じて例えば５２５カウントのタイミングでＬレベルとなるカウントパルスP525、例えば５２６カウントのタイミングでＬレベルとなるリセットパルスR526を出力するように構成されている。
また、分周器２１の入力段にアンド回路２３を設け、垂直同期信号のタイミングでＬレベルになる垂直同期パルスＶsync又はリセットパルスR526の立ち下がりでセットすることによって、垂直同期パルスＶsyncが欠落した場合でもリセットを掛けることができるようにする。
【０００７】
フリップフロップ２４、２５は垂直同期パルスＶsyncから入力信号が標準信号か否かを判定する判定部を構成するように設けられており、それぞれのデータ端子Ｄには垂直同期パルスＶsyncが供給される。さらに、クロック端子にはタイミング発生部２２から出力されるカウントパルスP525が供給されるが、フリップフロップ２５のクロック端子には反転器２６を介して位相が反転したカウントパルスP525r が供給されることになる。
したがって、フリップフロップ２４、２５はそれぞれカウントパルスP525、P525r の立ち下がりタイミングで出力端子Ｑ1 、Ｑ2 の出力レベルが決定され、後述するようにアンド回路２７と共に垂直同期パルスの有無を判定することができる。
【０００８】
分周器２１がリセットされてから『０』期間は必ず１クロックの周期よりも短くなるので５２５番目のクロック、すなわちカウントパルスP525は標準信号の垂直同期パルスＶsyncよりも早く立ち上がる。したがって、図５（ａ）に摸式的に示されている垂直同期パルスＶsyncに対して、カウントパルスP525、及び反転したカウントパルスP525r は、それぞれ図５（ｂ）（ｃ）に示されている矢印のタイミングでフリップフロップ２４、２５のトリガ信号となる。したがって、正規の垂直同期信号Ｖsyncの時は、各立ち下がり点Ａ、Ｂのタイミングで出力端子Ｑ1 からはＨレベル、反転出力端子Ｑ2 からもＨレベルが出力される。そしてアンド回路２７の出力はＨレベルとなりこの場合を標準信号であるという判定を下す。
【０００９】
また、図５（ｄ）（ｅ）（ｆ）に示されているように、垂直同期信号ＶsyncとカウントパルスP525のタイミングが一致していないときには、出力端子Ｑ1 からはＨレベル、反転出力端子Ｑ2 からはＬレベルが出力される。この場合はアンド回路２７の出力はＬレベルとなるのでこの場合を非標準信号であるという判定を下す。
ここでの判定結果は図示されていない同期補間処理系に供給され、標準信号の場合に垂直同期パルスＶsyncが欠落した場合には補間処理が行われるようになる。
【００１０】
これによって、例えばノイズの多い映像信号が入力された場合でも、一旦標準信号であると判断することができれば、分周器２１において垂直同期パルスＶsyncに対して例えば５２４カウントまで不感帯を設けることにより、弱電界においても、映像画面が乱れないようにコントロールすることができる。
【００１１】
【発明が解決しようとする課題】
ところで、先述したように標準信号の場合、例えば弱電界の地域では同期信号の抽出そのものが困難な場合があり、極端な場合では垂直同期信号が欠落してしまう場合がある。
図６は垂直同期信号の一部が欠落した場合の各信号の出力タイミングを示す図であり、図６（ａ）はクロックCLK 、図６（ｂ）は垂直同期パルスＶsync、図６（ｃ）はカウントパルスP525、図６（ｄ）はフリップフロップ２４の出力端子Ｑ1 の出力レベル、図６（ｅ）はフリップフロップ２５の反転出力端子Ｑ2 の出力レベル、図６（ｆ）はアンド回路２７の出力を示している。
【００１２】
先に図３で説明したように、クロックCLK に応じて出力されるカウントパルスP525、P525r のタイミングで垂直同期パルスＶsyncが有るか否かを判定するようにしているが、例えば図６（ｂ）に破線で示されているタイミングで入力されるべき垂直同期パルスＶsyncが欠落した場合に、前述したように反転出力端子Ｑ2 出力がＨレベル（図６（ｅ））となり、その結果アンド回路２７の出力がＬレベルになり（図６（ｆ））、現在入力されている映像信号が標準信号ではないという判断をするように構成されていた。
【００１３】
このため、例えばアンド回路２７の後段に積分回路等を設けて標準信号であるか否かの判定に時定数を持たせることが考えられていた。
しかし、一旦標準信号でないと判断されてしまった場合は、入力信号の多様性（非標準信号による２６２本、２６３本等）から不感帯を狭めなければならず、その結果、垂直同期信号の欠落やノイズの重畳等によって分周器２１と垂直同期パルスＶsyncの同期が乱れ、再び標準信号であるという判定をすることが困難な状態になってしまう。
したがって、垂直同期パルスＶsyncの欠落が生じた場合でも補間処理等が行われないので、同期の乱れた画像が表示されることになってしまうという問題があった。
【００１４】
【課題を解決するための手段】
本発明はこのような問題点を解決するためになされたもので、入力した映像信号から抽出した水平同期パルスのｎ倍（但しｎ≧２）の発振周波数のクロックを生成する発振手段と、前記映像信号から抽出した垂直同期パルス又は該垂直同期パルスのｍ倍（但し、ｍ≧２）周期に対応して出力されるリセットパルスによってリセットされるとともに前記クロックに基づきカウント値を出力する分周手段と、前記分周手段から出力されるカウント値に基づき、前記垂直同期パルスと同周期の第一のカウントパルス、及び前記垂直同期パルスのｍ倍の第二のカウントパルスと、前記リセットパルスを出力するタイミング発生手段と、前記第一、第二のカウントパルスのタイミングで前記垂直同期パルスの有無を判定する判定手段を備えて同期判定回路を構成する。
またこの同期判定回路を用いてテレビジョン受像機を構成する。
【００１５】
本発明によれば、入力している映像信号の垂直同期信号が欠落して所定の周期で入力されない場合でも、その次の周期で垂直同期信号の入力があった場合、標準信号が入力されているという判断を下すことができる。これによって、例えば弱電界などで受信した垂直同期信号が欠落しやすい映像信号も標準信号であるという判定をタイミングが遅れない状態で下すことができるようになり、欠落した垂直同期信号について同期補間処理を行うことができるようになる。
【００１６】
【発明の実施の形態】
以下、本発明の実施形態を例えばＮＴＳＣ方式のテレビジョン受像機に適用した場合の実施形態を説明する。
図１は本実施形態のテレビジョン受像機の映像系の一部回路ブロックを示す図である。
チューナ１は例えばＢＳチューナ、ＣＳチューナ、Ｕ／Ｖチューナ等によって構成され、アンテナＡで受信した放送電波を選択する。チューナ１で選択された受信信号は中間周波増幅部（ＶＩＦ）２、スイッチＳＷを介して映像信号処理部３に供給される。スイッチＳＷはチューナ１で選択された受信信号と、外部入力端子ｔ1 、t2に接続される外部入力機器（例えばビデオデッキ、レーザディスクプレーヤ等のＡＶ（Audio Visual）機器、又はゲーム機器等、但し図示は省略している）から供給される映像信号を選択して映像信号処理部３に供給している。
【００１７】
映像信号供給部３は色信号の分離、色差信号形成、同期信号抽出等の各種信号処理を行いＲＧＢ各色の映像信号をＣＲＴ４に供給する。また、ここで抽出された同期信号は制御部５に供給する。
制御部５は入力した同期信号から上記各機能回路における各種信号処理などの同期を取りための水平走査周期に同期した動作クロックを生成する。また、各種操作キー、選択キー等が設けられているリモートコマンダＲＣから出力されるコマンドを受光部６を介して入力し、チューナ１の選局制御、スイッチＳＷの切替え、又は映像信号処理部３における各種画質調整等を行うようになされている。
【００１８】
偏向制御部７は映像信号の同期情報が入力されている制御部５から出力される動作クロックに基づいて、水平周期のタイミングで水平偏向信号Ｈを形成してＣＲＴ４のネック部分に取付けられている偏向ヨーク８に供給する。
また、現在スイッチＳＷで選択されている映像信号が、例えばチューナ１で選択されている放送番組や、外部入力端子ｔ1 又はｔ2 に接続されているビデオデッキ等の外部入力機器から供給される通常再生映像等の標準信号であるか、或いは外部入力端子ｔ1 又はｔ2 に接続されている外部入力機器から供給されている特殊再生映像や、ゲーム機器から供給されている非標準信号であるかの判定を行うように構成されている。
【００１９】
同期補間処理部９は偏向処理部７において現在選択されている映像信号が標準信号であると判定された場合に、例えば弱電界などによる欠落で水平走査線数２６２．５本毎に垂直同期信号が無い場合、その前後の垂直同期信号から予測をたてるなどして補間処理を行い、所定のタイミングで垂直同期信号を生成する様に構成されている。
【００２０】
これによって、標準信号において例えば水平走査線２６２．５本毎とされる垂直同期信号が欠落した場合でも、補間処理によって垂直同期信号を生成することができるとともに、例えば水平走査線２６２．５本毎に垂直同期信号が無い非標準信号が選択されている場合は補間処理を行わないようにすることができる。
【００２１】
次に、図２にしたがい偏向制御部７における同期判定回路について詳しく説明する。なお図２において偏向出力系については図示を省略する。
図１に示した映像信号処理部３で抽出された水平同期信号ＨSync（約１５．７３４ｋＨz ）は、例えばＰＬＬ等によって構成されている発振器１０に供給される。発振器１０は水平同期信号ＨSyncの周期を基準として発振するように構成され、例えば水平同期信号ＨSyncに対してｎ倍（但しｎは自然数）の周波数のクロックCLK を生成する。なおここでは一例としてｎ＝２として水平同期信号ＨSyncの２倍の周波数のクロックCLK が生成されることとする。したがってクロックCLK は３１．４６８ｋＨz の周期で出力される。
【００２２】
クロックCLK は例えばフリップフロップ１１ａ、１１ｂ・・・、２１ｋによって１１ビットカウンタとして構成される分周器１１にカウント用のクロックとして供給される。この分周器１１を１１ビットで構成することにより０〜２０４７までカウントすることが可能とされている。なおここでは非同期式のカウンタとして示しているが同期式のカウンタとして構成してもよい。
分周器１１から出力されるカウント出力（各フリップフロップ１１ａ〜１１ｋのＱ出力端子の出力）はタイミング発生部１３に出力される。タイミング発生部１３はカウント出力に応じたタイミングでＬレベルになるパルス信号が出力される。カウントパルスP525は垂直同期パルスＶsyncと同周期のパルス信号とされ、カウントパルスP1050 は垂直同期パルスＶsyncのｍ倍、すなわち本実施形態ではｍ＝２倍周期のパルス信号として出力される。
【００２３】
また、分周器１１の入力段にアンド回路１２を設け、垂直同期信号のタイミングでＬレベルになる垂直同期パルスＶsync又は垂直同期パルスＶsyncとｍ倍の周期に対応して、１０５１カウント毎に出力されるリセットパルスR1051 の立ち下がりのタイミングでリセットすることによって、垂直同期パルスＶsyncが欠落した場合はリセットを掛けることができるようになる。
さらに、標準／非標準信号の判定結果を保持するための、カウントパルスP525より早いタイミングでラッチパルスLaを出力するように構成されており、本実施形態では例えば４９０カウント目のタイミングで出力される。
【００２４】
破線で示されている判定部Jad は例えばアンド回路１４、１８、反転器１５、垂直同期信号Ｖsyncの有無を判定するフリップフロップ１６、１７、及びフリップフロップ１６、１７の出力レベルを保持するフリップフロップ２０等によって構成されている。
【００２５】
フリップフロップ１６、１７は垂直同期パルスＶsyncから入力信号が標準信号か否かを判定する手段として設けられており、それぞれのデータ端子には垂直同期パルスＶsyncが供給される。さらに、クロック端子にはアンド回路１４を介してタイミング発生部１３から出力されるカウントパルスP525又はカウントパルスP1050 （以下、アンド回路１４の出力をトリガパルスPtという）が供給されるが、フリップフロップ１７のクロック端子には反転器１５を介して位相が反転したトリガパルスPtr が供給されることになる。
したがって、フリップフロップ１６、１７はそれぞれトリガパルスPt、Ptr の立ち下がりで出力端子Ｑの出力レベルが決定されるように構成されている。
【００２６】
分周器１１がリセットされてから『０』期間は必ず１クロックの周期よりも短くなるので５２５番目のクロック、すなわちカウントパルスP525は標準信号の垂直同期パルスＶsyncよりも早く立ち上がる。したがって、トリガパルスPt、Ptr 垂直同期パルスＶsyncに対して先に図４で説明した場合と同様のタイミングでクロック端子に入力され、各立ち下がり点Ａ、Ｂのタイミングでフリップフロップ１６の出力端子Ｑ1 からはＨレベル、フリップフロップ１７の反転出力端子Ｑ2 らはＨレベルが出力される。これによって標準の垂直同期パルスＶsyncが検出されているときは、アンド回路１８の出力はＨレベルとなりこの場合を標準信号とする。
【００２７】
また、垂直同期パルスＶsyncがない場合はトリガパルスPtの立ち下がりタイミングでフリップフロップ１６の出力端子Ｑ1 からはＨレベル、またトリガパルスPtr の立ち下がりタイミングでフリップフロップ１７の反転出力端子Ｑ2 からはＬレベルが出力される。この場合はアンド回路１８の出力はＬレベルとなるのでこの場合を非標準信号と判定する。
【００２８】
アンド回路１８から出力される判定結果はフリップフロップ１９のデータ端子に供給される。さらに、このフリップフロップ１９のクロック端子にはラッチパルスLaが供給されるので、後で図３で説明するようにアンド回路１８の出力レベルすなわち標準／非標準信号の判定結果を保持することができるようになる。そして、判定結果は同期補間処理部９に供給される。
【００２９】
以下、例えば弱電界などによって垂直同期パルスＶsyncの一部が欠落した場合について説明する。
図３は図２に示した偏向制御部７の各信号の出力タイミングを示す図であり、図３（ａ）はクロックCLK 、図３（ｂ）は標準信号の垂直同期パルスＶsync、図３（ｃ）はカウントパルスP525、図３（ｄ）はカウントパルスP1050 、図３（ｅ）はフリップフロップ１６のＱ出力端子の出力レベル、図３（ｆ）はフリップフロップ１７の反転Ｑ出力端子の出力レベル、図３（ｇ）はラッチパルスLa、図３（ｈ）はフリップフロップ１０のＱ出力端子の出力レベルを示している。
【００３０】
例えば図３（ｂ）に破線で示されているように、弱電界で垂直同期パルスＶsyncが欠落してしまった場合、図３（ｃ）に示されているカウントパルスP525のタイミングでは、フリップフロップ１６、１７の出力レベルは、図３（ｅ）（ｆ）に示されているようにＨレベル及びＬレベルとなり非標準信号という判定が下されてしまう。しかし、本発明では分周器１３がカウントを続け、図３（ｇ）に示されているように破線で示されているタイミングでラッチパルスLar が出力されない。したがってこの時点では非標準信号であるという判定が出力されない。そして分周器１１のカウント動作が継続することによって、図３（ｄ）に示されているようにタイミング発生器１３からはカウントパルスP1050 が出力され、フリップフロップ１６、１７のクロック端子に供給される。
【００３１】
つまりカウントパルスP1050 によって標準／非標準信号の判定がなされることになるが、弱電界で一時的に垂直同期パルスＶsync2 が欠落した場合は、図３（ｂ）に示されているように、その次の周期の垂直同期パルスＶsync3 が入力される可能性が非常に高い。また、ゲーム機器やビデオデッキの特殊再生時の非標準信号では周期が異なるので、１０５０カウントのタイミングで垂直同期パルスＶsync入力される可能性は低いものとなる。
【００３２】
したがって、カウントパルスP1050 のタイミングで垂直同期パルスＶSyncが入力されアンド回路１８の出力がＨレベルとなれば、現在標準信号が入力されているという判定を下すことができるようになる。また、この時点では分周器１１はリセットパルスR1051 と垂直同期パルスＶsyncでリセットされ新たにカウントを開始する。そして、このリセットタイミングから４９０カウント目でラッチパルスLaが出力される。
そして、先のカウントパルスP1050 によって得られた判定結果は、フリップフロップ１９で図３（ｇ）に示されているラッチパルスLaによって保持される。すなわち、図３（ｂ）に示したように垂直同期パルスＶsyncが欠落した場合は分周器１１がリセットされないので、図３（ｆ）に示すように一時的に反転Ｑ出力端子の出力レベルがＬレベルになった場合でも、フリップフロップ１９の出力はＨレベルが保持されるようになる。したがって、標準信号において一時的な垂直同期パルスＶsyncの欠落が生じた場合でも、非標準信号であるという誤判定を防止することができるようになる。
【００３３】
なお、上記実施形態では発振器１０における発振周波数の倍数ｎ＝２、すなわち水平同期パルスの２倍の周波数のクロックCLK として説明したが、自然数であれば他の数値であっても良い。また、リセットパルスR1051 は１０５１カウントのタイミングでＬレベルとなるようにしたが、これも垂直同期パルスＶsyncのｍ倍の周期に対応した数値に設定することができる。
例えば倍数ｎ＝３（５２５×３＝１５７５）とした場合は１５７５カウント以上に設定し、さらに標準信号のウインドとして１５７５を設定すれば垂直同期パルスＶsyncの欠落に対して影響を受けないようになる。
また、上記実施形態ではＮＴＳＣ方式を例に挙げて説明したが、他のテレビジョン方式として例えばＰＡＬ方式、ＳＥＣＡＭ方式等のテレビジョン受像機に適用することも可能である。
【００３４】
【発明の効果】
以上、説明したように本発明のモニタ装置は、入力している映像信号の垂直同期信号が欠落して所定の周期で入力されない場合でも、その次の周期で垂直同期信号の入力があった場合、標準信号が入力されているという判断を下すことができる。これによって、例えば弱電界などの垂直同期信号が欠落しやすい映像信号も標準信号であるという判定を下すことができるようになる。
これによって、垂直同期信号の欠落が生じた場合に、補間処理が行われるようになるので、同期がとれた良好な画像を表示することができるようになる。
【図面の簡単な説明】
【図１】本発明の実施形態のテレビジョン受像機の一部を示すブロック図である。
【図２】図１に示すテレビジョン受像機の偏向制御部における同期判定回路を説明する図である。
【図３】図２に示す判定部の各部における信号波形のタイミングを示す図である。
【図４】従来の偏向制御部における同期判定回路を説明する図である。
【図５】垂直同期パルスとカウントパルスのタイミングを説明する図である。
【図６】図４に示す判定部の各部における信号波形のタイミングを示す図である。
【符号の説明】
１０  発振器，１１  分周器，１３  タイミング発生部，Jad   判定部，P525、P1050   カウントパルス，R1051   リセットパルス，Pt、Ptr   トリガパルス，La  ラッチパルス
【図１】
0003675050.tif 000002
【図２】
0003675050.tif 000003
【図３】
0003675050.tif 000004
【図４】
0003675050.tif 000005
【図５】
0003675050.tif 000006
【図６】
0003675050.tif 000007